(57)【要約】【課題】隣り合う２つのカバー間に生じる暗がりを低減させる。【解決手段】取付部材２１は、長尺に形成され、且つ基板２２１が取り付けられる。カバーは、透光性材料により長尺に形成され、且つ基板２２１を覆うようにして取付部材２１に取り付けられる。このカバーは、取付部材２１の長手方向と同じ方向を長手方向とし、且つ取付部材２１の幅方向と同じ方向を幅方向とした状態で取付部材２１に取り付けられる。また、カバーは、長手方向における寸法が取付部材２１よりも長く、取付部材２１に取り付けられた状態では長手方向における両側が取付部材２１よりも外側に突出している。【選択図】図１
2015176748.tif 000002
【特許請求の範囲】
【請求項１】
１乃至複数の発光素子が実装された基板と、
長尺に形成され、且つ前記基板が取り付けられる取付部材と、
透光性材料により長尺に形成され、且つ前記基板を覆うようにして前記取付部材に取り付けられるカバーとを備え、
前記カバーは、前記取付部材の長手方向と同じ方向を長手方向とし、且つ前記取付部材の幅方向と同じ方向を幅方向とした状態で前記取付部材に取り付けられ、
前記カバーは、長手方向における寸法が前記取付部材よりも長く、前記取付部材に取り付けられた状態では長手方向における両側が前記取付部材よりも外側に突出していることを特徴とする光源ユニット。
【請求項２】
少なくとも前記取付部材の長手方向における端部に配置された前記発光素子からの光を前記カバーの長手方向における端部側へ導く導光部材を備えていることを特徴とする請求項１記載の光源ユニット。
【請求項３】
前記導光部材は、前記カバーと一体に設けられていることを特徴とする請求項２記載の光源ユニット。
【請求項４】
請求項１〜３の何れか１項に記載の光源ユニットと、前記光源ユニットが取り付けられる器具本体とを備えていることを特徴とする照明器具。
【発明の詳細な説明】
【技術分野】
【０００１】
本発明は、一般に光源ユニット及びそれを用いた照明器具に関し、より詳細には発光素子を光源とする光源ユニット及びそれを用いた照明器具に関する。
【背景技術】
【０００２】
従来、天井面に取り付けられる天井直付け型の照明器具が提供されている（例えば特許文献１参照）。特許文献１に記載された照明器具は、横長且つ長尺に形成された器具本体と、器具本体に取り付けられる光源部とを備える。光源部は、横長且つ長尺に形成された取付部材と、複数の発光素子が実装された基板と、透光性材料により形成されたカバーとを具備する。
【０００３】
取付部材は、平坦且つ長尺に形成された底壁と、底壁の幅方向における両側から底壁と直交する方向に立ち上がる一対の側壁とを有し、ねじ止め等によって基板が底壁に取り付けられる。カバーは、長尺且つ半円筒状に形成され、基板を覆うようにして取付部材に取り付けられる。
【先行技術文献】
【特許文献】
【０００４】
【特許文献１】特開２０１２−３９９３号公報
【発明の概要】
【発明が解決しようとする課題】
【０００５】
上述の特許文献１に示した照明器具は、天井面に取り付けられた器具本体に対して光源部を取り付ける構造であるため、例えば取付性や意匠性などを考慮して、光源部の長手寸法及び幅寸法を器具本体の長手寸法及び幅寸法よりも小さくするのが一般的である。
【０００６】
そして、オフィスなどの施設において複数の照明器具を長手方向に並べて設置した場合には、隣り合う２つのカバー間に隙間が生じ、且つこの隙間には光源が存在しないため、照明器具を点灯させた際に暗がりが生じてしまう。その結果、照明器具を含めた空間全体としての意匠性が低下するという問題があった。
【０００７】
本発明は上記問題点に鑑みて為されており、隣り合う２つのカバー間に生じる暗がりを低減させた光源ユニット及びそれを用いた照明器具を提供することを目的とする。
【課題を解決するための手段】
【０００８】
本発明の光源ユニットは、１乃至複数の発光素子が実装された基板と、長尺に形成され、且つ前記基板が取り付けられる取付部材と、透光性材料により長尺に形成され、且つ前記基板を覆うようにして前記取付部材に取り付けられるカバーとを備え、前記カバーは、前記取付部材の長手方向と同じ方向を長手方向とし、且つ前記取付部材の幅方向と同じ方向を幅方向とした状態で前記取付部材に取り付けられ、前記カバーは、長手方向における寸法が前記取付部材よりも長く、前記取付部材に取り付けられた状態では長手方向における両側が前記取付部材よりも外側に突出していることを特徴とする。
【０００９】
この光源ユニットにおいて、少なくとも前記取付部材の長手方向における端部に配置された前記発光素子からの光を前記カバーの長手方向における端部側へ導く導光部材を備えているのが好ましい。
【００１０】
また、この光源ユニットにおいて、前記導光部材は、前記カバーと一体に設けられているのも好ましい。
【００１１】
本発明の照明器具は、上記光源ユニットと、上記光源ユニットが取り付けられる器具本体とを備えていることを特徴とする。
【発明の効果】
【００１２】
本発明の構成によれば、長手方向におけるカバーの両側が取付部材よりも外側に突出しているので、複数の照明器具を長手方向に並べて設置した場合に生じるカバー間の隙間を小さくすることができる。そして、発光素子から放射される光を上記隙間に配置されたカバーを通して照明空間側に照射することができることから、上記隙間に生じる暗がりを低減することができる。その結果、照明器具を含めた空間全体の意匠性が低下するのを抑えることができる。
【図面の簡単な説明】
【００１３】
【図１】（ａ）は本実施形態の光源ユニットを用いた照明器具の一部拡大図、（ｂ）は本実施形態の光源ユニットの要部拡大図である。
【図２】本実施形態の光源ユニットを用いた照明器具の分解斜視図である。
【図３】本実施形態の光源ユニットを用いた照明器具の全体斜視図である。
【図４】本実施形態の光源ユニットを用いた照明器具の一部省略せる断面図である。
【図５】（ａ）は本実施形態の別の光源ユニットを用いた照明器具の一部拡大図、（ｂ）は本実施形態の別の光源ユニットの要部拡大図である。
【発明を実施するための形態】
【００１４】
本発明に係る光源ユニット及びそれを用いた照明器具の実施形態について、図１〜図５を参照しながら具体的に説明する。なお、以下の説明では特に断りがない限り、図２において上下、前後、左右の各方向を規定する。したがって、器具本体１の長手方向が前後方向となり、器具本体１の幅方向が左右方向となる。
【００１５】
本実施形態の照明器具１０は、例えば天井直付け型の照明器具であり、吊ボルト（図示せず）を用いて天井材（図示せず）に取り付けられる器具本体１と、器具本体１に対して着脱自在に取り付けられる光源ユニット２とを備える。
【００１６】
器具本体１は、図２に示すように、板金に曲げ加工することで長尺且つ上面が開口する扁平な箱状に形成され、器具本体１の下面側には、光源ユニット２を収容するための矩形の凹部１１が全長に亘って設けられている。また、器具本体１の凹部１１の左右両側には、凹部１１の開口端縁から斜め上方に傾斜する傾斜部１２，１２がそれぞれ設けられている。
【００１７】
また、凹部１１の底面部１１１には、電線を通すための孔１１１０が前後方向（長手方向）に沿って複数（図２では３個）設けられるとともに、吊ボルトを通すための孔１１１１が前後方向における両端側にそれぞれ２個ずつ設けられている。この器具本体１は、天井材から露出する吊ボルトを孔１１１１に通した後、吊ボルトにナットをねじ込むことで天井材に固定される。なお、施工手順については後述する。
【００１８】
光源ユニット２は、図２に示すように、２つのＬＥＤモジュール２２と、取付部材２１と、第１カバー２３と、２つ（図２では片側のみ図示）の第２カバー２４と、電源装置２５とを備える。
【００１９】
ＬＥＤモジュール２２は、前後方向に長い矩形板状に形成された基板２２１を有し、基板２２１の一面（下面）には、複数のＬＥＤ２２２（発光素子）が前後方向（基板２２１の長手方向）に沿って一列に実装されている。
【００２０】
また、一方（図２中の左側）の基板２２１の後端部には、電源装置２５との間を電気的に接続するためのコネクタ２２３が実装されている。このコネクタ２２３には電線（図示せず）が接続されており、この電線の端部を電源装置２５の出力端に接続することで基板２２１と電源装置２５との間が電気的に接続される。
【００２１】
さらに、各基板２２１において隣接する基板２２１と対向する端部には、電源供給用のコネクタ２２４がそれぞれ実装されている。そして、両基板２２１，２２１のコネクタ２２４，２２４を接続することで、一方（図２中の左側）の基板２２１から他方（図２中の右側）の基板２２１に点灯電力を供給することができる。
【００２２】
取付部材２１は、図２に示すように、板金に曲げ加工することでＵ字状に形成され、長尺且つ矩形板状に形成された底面部２１１と、底面部２１１の左右方向（幅方向）における両端から上向きに延長された一対の側面部２１２とで構成される。各側面部２１２の先端（上端）には、円管状に折り曲げることで形成された引掛部２１２０（図４参照）が全長に亘って設けられている。
【００２３】
底面部２１１の前後方向における両端には、基板２２１のコネクタ２２３に接続された上記電線を通すための孔２１１０が、底面部２１１の中心（重心）に対して点対称な位置にそれぞれ設けられている。なお、上述の基板２２１，２２１は、例えば取付部材２１の底面部２１１の一部を切り起こすことで形成された固定片（図示せず）により底面部２１１の下面に固定される。
【００２４】
第１カバー２３は、図２に示すように、長尺であって、拡散性を有する材料（例えば乳白色のアクリル樹脂）により上側（取付部材２１側）が開口する半円筒形状に形成されている。この第１カバー２３は、左右方向（幅方向）において両端から中央に近づくほど下側への突出量が大きくなるような凸レンズ形状の曲面部２３１を有している。
【００２５】
曲面部２３１の左右方向における両端には、上向きに突出する突壁部２３３がそれぞれ全長に亘って形成されており、各突壁部２３３の先端には、内向きに突出する突起部２３３０が設けられている（図４参照）。また、曲面部２３１の左右方向における両端には、突壁部２３３よりも外側に突出する突出部２３２がそれぞれ全長に亘って形成されている（図４参照）。
【００２６】
第２カバー２４は、第１カバー２３と同じ拡散性を有する材料により半円板状に形成されたエンド板２４１を有し、適宜の取付方法により第１カバー２３の前後方向（長手方向）における両端にそれぞれ取り付けられる。
【００２７】
電源装置２５は、図２に示すように、電源回路部２５１と、電源回路部２５１を収納するためのケース２５２とを有する。電源回路部２５１は、前後方向に長い矩形板状に形成された基板２５１０を有し、基板２５１０の一面（下面）には、少なくともＬＥＤ２２２の点灯電力を生成するための回路部品（トランスやダイオード、コンデンサなど）２５１１が実装されている。
【００２８】
ケース２５２は、図２に示すように、一面（下面）が開口し且つ前後方向に長い矩形箱状に形成されており、開口側を取付部材２１の底面部２１１に対向させた状態で適宜の取付方法（例えばねじなど）により取付部材２１に取り付けられる。
【００２９】
次に、光源ユニット２の組立手順について説明する。まず最初に、作業者は、電源装置２５を取付部材２１の上面側に取り付け、さらにＬＥＤモジュール２２を上記固定片により取付部材２１の下面に固定する。その後、作業者は、ＬＥＤモジュール２２のコネクタ２２３に接続された上記電線を取付部材２１の底面部２１１に設けた孔２１１０に通し、その端部を電源装置２５の出力端に接続する。
【００３０】
さらに、作業者は、開口側を上向きにした状態で第１カバー２３を取付部材２１に取り付ける。このとき、第１カバー２３の各突壁部２３３に設けられた突起部２３３０が取付部材２１の各側面部２１２に設けられた引掛部２１２０に引っ掛かることで、第１カバー２３が取付部材２１に取り付けられる（図４参照）。またこのとき、第１カバー２３の曲面部２３１は、取付部材２１の底面部２１１に取り付けられた基板２２１と対向する。
【００３１】
そして最後に、作業者は、第１カバー２３の前後方向における両端に第２カバー２４をそれぞれ取り付ける。以上のような手順に従って光源ユニット２が組み立てられる。
【００３２】
続けて、照明器具１０の施工手順について説明する。まず最初に、作業者は、天井裏に先行配線された電源線（図示せず）を器具本体１の孔１１１０に通す。さらに、作業者は、室内側に露出する吊ボルト（図示せず）を孔１１１１に通した後、吊ボルトにナット（図示せず）をねじ込んで器具本体１を天井材（図示せず）に固定する。
【００３３】
その後、作業者は、上記電源線を器具本体１に取り付けられた端子台（図示せず）に接続するととともに、端子台と電源装置２５の入力端との間を電線（図示せず）により接続する。そして最後に、作業者は、器具本体１及び取付部材２１にそれぞれ設けた取付構造（図示せず）によって光源ユニット２を器具本体１に取り付ける。以上のような手順に従って照明器具１０が天井材に取り付けられる（図３参照）。
【００３４】
ここに、第１カバー２３は、前後方向（長手方向）における寸法が取付部材２１の前後方向における寸法よりも長く、且つ取付部材２１に取り付けられた状態で前後方向における両側が取付部材２１よりも外側に突出している。また、第１カバー２３は、前後方向における寸法が器具本体１の前後方向における寸法と同じ寸法に設定されている。したがって、一体に組み付けられた光源ユニット２を器具本体１に取り付けた状態では、第１カバー２３が器具本体１の全長に亘って配置されることになる（図３参照）。
【００３５】
これにより、例えば２つの照明器具１０を前後方向（器具本体１の長手方向）に並べて設置した場合でも、隣接する２つの第１カバー２３，２３間に隙間が生じることなく、その結果、照明器具１０を含めた空間全体の意匠性が低下するのを抑えることができる。
【００３６】
ところで、本実施形態の光源ユニット２では、第１カバー２３の前後方向（長手方向）における両端に第２カバー２４がそれぞれ取り付けられるが、この第２カバー２４には導光部２４２が一体に形成されている。導光部２４２は、図１（ａ）及び図１（ｂ）に示すように、エンド板２４１の内側面からエンド板２４１と直交する方向に突出する棒状に形成されており、第２カバー２４が第１カバー２３に取り付けられた状態では、取付部材２１の長手方向における端部に配置されたＬＥＤ２２と対向している。
【００３７】
したがって、ＬＥＤモジュール２２を点灯させた際には、ＬＥＤ２２２から放射された光が導光部２４２に入射されるとともに導光部２４２の内部で反射を繰り返し、エンド板２４１へと導かれる（図１（ｂ）中の矢印Ａ１参照）。これにより、エンド板２４１を通して外部に照射される光を増加させることができる。ここに、図１（ａ）及び図１（ｂ）に示す例では、第２カバー２４に一体に設けられた導光部２４２により導光部材が構成され、第１カバー２３及び第２カバー２４によりカバーが構成されている。
【００３８】
上述の図１（ａ）及び図１（ｂ）に示した例では、導光部材である導光部２４２を第２カバー２４と一体に設けているが、導光部材はカバーと別体であってもよい。以下、導光部材がカバーと別体である場合について、図５（ａ）及び図５（ｂ）を参照しながら具体的に説明する。
【００３９】
光源ユニット２は、図５（ａ）及び図５（ｂ）に示すように、導光部材として上述の導光部２４２の代わりにレンズ２７を備えている。このレンズ２７は、出射面２７１が平面で且つ入射面２７０が凹面である所謂平凹レンズであって、取付部材２１の長手方向における端部に配置されたＬＥＤ２２２との対向面が凹面となるようにレンズ２７の角度が設定されている。
【００４０】
したがって、ＬＥＤモジュール２２を点灯させた際には、ＬＥＤ２２２から放射された光が入射面２７０を通ってレンズ２７に入射され、レンズ２７に入射された光は出射面２７１から外向きに拡がるように出射される（図５（ｂ）中の矢印Ａ２参照）。これにより、第１カバー２３の長手方向における端部及び第２カバー２４のエンド板２４１への光を増加させることができる。
【００４１】
なお、第１カバー２３の前後方向における寸法は、少なくとも取付部材２１の前後方向における寸法よりも長くなっていれば、本実施形態のように器具本体１の前後方向における寸法と同じ寸法でなくてもよい。そして、この場合には、隣接する２つの第１カバー２３，２３間の隙間を小さくできることから、上記隙間に生じる暗がりを低減することができ、その結果、照明器具１０を含めた空間全体の意匠性が低下するのを抑えることができる。
【００４２】
また、本実施形態の導光部材は一例であって、少なくとも取付部材２１の長手方向における端部に配置されたＬＥＤ２２２からの光を第１カバー２３の長手方向における端部側に導くことができれば他の構成でもよい。
【００４３】
本実施形態の光源ユニット２は、基板２２１と、取付部材２１と、カバー（第１カバー２３及び第２カバー２４）とを備える。基板２２１は、１乃至複数のＬＥＤ２２２（発光素子）が実装されている。取付部材２１は、長尺に形成され、且つ基板２２１が取り付けられる。前記カバーは、透光性材料により長尺に形成され、且つ基板２２１を覆うようにして取付部材２１に取り付けられる。前記カバーは、取付部材２１の長手方向と同じ方向を長手方向とし、且つ取付部材２１の幅方向と同じ方向を幅方向とした状態で取付部材２１に取り付けられる。また、前記カバーは、長手方向における寸法が取付部材２１よりも長く、取付部材２１に取り付けられた状態では長手方向における両側が取付部材２１よりも外側に突出している。
【００４４】
また、本実施形態の光源ユニット２のように、少なくとも取付部材２１の長手方向における端部に配置されたＬＥＤ２２２からの光を前記カバーの長手方向における端部側へ導く導光部材（導光部２４２又はレンズ２７）を備えているのが好ましい。
【００４５】
また、本実施形態の光源ユニット２のように、前記導光部材は、前記カバーと一体に設けられているのが好ましい。
【００４６】
本実施形態の照明器具１０は、光源ユニット２と、光源ユニット２が取り付けられる器具本体１とを備えている。
【符号の説明】
【００４７】
２１  取付部材
２３  第１カバー（カバー）
２４  第２カバー（カバー）
２２１  基板
【図１】
2015176748.tif 000003
【図２】
2015176748.tif 000004
【図３】
2015176748.tif 000005
【図４】
2015176748.tif 000006
【図５】
2015176748.tif 000007